(57)【要約】【課題】他のチャネルへの切り換えに起因して受信タイミングを失することで、本来受信を所望していた放送内容が受信できなくなることを防止することが可能な放送受信装置を提供する。【解決手段】一のチャネルを受信中において他のチャネルへ受信対象を切り換えるために操作されるチャネル選択操作部１０と、チャネルが切り換えられたタイミングから計時を開始するタイマ５Ａと、計時されている時間が、予め設定されている待ち時間となったか否かを検出し、計時されている時間が待ち時間となったとき、現在受信しているチャネルを元のチャネルに復帰させる制御部５と、を備える。【選択図】　　　図１
2004112099.tif 000002
【特許請求の範囲】
【請求項１】
一の放送電波を受信中において他の放送電波へ受信対象を切り換えるために操作される切換操作手段と、
前記放送電波が切り換えられたタイミングから計時を開始する計時手段と、
前記計時されている時間が、予め設定されている設定時間となったか否かを検出する検出手段と、
前記計時されている時間が前記設定時間となったとき、現在受信している前記放送電波を再度切り換える切換手段と、
を備えることを特徴とする放送受信装置。
【請求項２】
請求項１に記載の放送受信装置において、
前記切換手段は、受信対象を前記一の放送電波に復帰させることを特徴とする放送受信装置。
【請求項３】
請求項１に記載の放送受信装置において、
前記切換手段による再切換後において受信すべき前記放送電波である設定放送電波を設定するために操作される設定操作手段を更に備え、
前記切換手段は、受信対象を前記設定放送電波に切り換えることを特徴とする放送受信装置。
【請求項４】
一の放送電波を受信中において他の放送電波へ受信対象を切り換えるために操作される切換操作手段と、
前記一の放送電波における放送内容が、受信が所望されない放送内容から受信が所望される放送内容に変わったか否かを検出する検出手段と、
前記検出手段により前記放送内容の変化が検出されたとき、現在受信している前記放送電波を前記一の放送電波に復帰させる復帰手段と、
を備えることを特徴とする放送受信装置。
【請求項５】
請求項４に記載の放送受信装置において、
前記受信が所望されない放送内容は広告宣伝であることを特徴とする放送受信装置。
【発明の詳細な説明】
【０００１】
【発明の属する技術分野】
本発明は、放送受信装置の技術分野に属し、より詳細には、ラジオ放送又はテレビジョン放送における放送電波を受信してその放送内容を出力する放送受信装置の技術分野に属する。
【０００２】
【従来の技術】
従来のテレビジョン装置やラジオ受信装置においては、それらに含まれているタイマに対して予め設定されていた時間が経過すると、自動的にそれらの装置に対する電源供給をオン／オフしたり、或いは警告告知を行ったりと言ったことが行われていた。
【０００３】
【発明が解決しようとする課題】
しかしながら、上述した従来のタイマ式の装置において、例えばタイマを備えるテレビジョン装置を例とすると、一の放送電波を受信している場合に、その放送内容が、本来の放送内容からいわゆるコマーシャルに変わることがある。
【０００４】
そして、当該放送内容がコマーシャルに変わったとき、そのコマーシャルが放送されている時間だけ他の放送電波を受信すべくチャネルを切り換えたとすると、その切り換え後の放送内容に見入るばかりに、元のチャネルにおいてコマーシャルが終了していてもその元のチャネルに復帰させることを失念し、結果として当該元のチャネルにおいて視聴したいと思っていた放送内容を見逃してしまう場合があると言う問題点があった。
【０００５】
そこで、本発明は、上記の問題点に鑑みて為されたもので、その課題は、他の放送電波への切り換えに起因して受信タイミングを失することで、本来受信を所望していた放送内容が受信できなくなることを防止することが可能な放送受信装置を提供することにある。
【０００６】
【課題を解決するための手段】
上記の課題を解決するために、請求項１に記載の発明は、一の放送電波を受信中において他の放送電波へ受信対象を切り換えるために操作されるチャネル選択操作部等の切換操作手段と、前記放送電波が切り換えられたタイミングから計時を開始するタイマ等の計時手段と、前記計時されている時間が、予め設定されている設定時間となったか否かを検出する制御部等の検出手段と、前記計時されている時間が前記設定時間となったとき、現在受信している前記放送電波を再度切り換える制御部等の切換手段と、を備える。
【０００７】
よって、放送電波が切り換えられたタイミングから計時を開始し、その後計時の結果が設定時間になったときに更に放送電波を切り換えるので、人為的に切り換えられた他の放送電波を受信し続けることにより本来受信すべき放送電波の受信タイミングを失することを防ぐことができる。
【０００８】
上記の課題を解決するために、請求項２に記載の発明は、請求項１に記載の放送受信装置において、前記切換手段は、受信対象を前記一の放送電波に復帰させるように構成される。
【０００９】
よって、計時されている時間が設定時間になったとき、受信すべき放送電波を元の一の放送電波に復帰させるので、当該一の放送電波における本来受信すべきタイミングを失することを防止することができる。
【００１０】
上記の課題を解決するために、請求項３に記載の発明は、請求項１に記載の放送受信装置において、前記切換手段による再切換後において受信すべき前記放送電波である設定放送電波を設定するために操作される切換先設定操作部等の設定操作手段を更に備え、前記切換手段は、受信対象を前記設定放送電波に切り換えるように構成される。
【００１１】
よって、計時されている時間が設定時間になったとき、受信すべき放送電波を予め設定されている設定放送電波に切り換えるので、当該設定放送電波における本来受信すべきタイミングを失することを防止することができる。
【００１２】
上記の課題を解決するために、請求項４に記載の発明は、一の放送電波を受信中において他の放送電波へ受信対象を切り換えるために操作される切換操作手段と、前記一の放送電波における放送内容が、受信が所望されない放送内容から受信が所望される放送内容に変わったか否かを検出する検出手段と、前記検出手段により前記放送内容の変化が検出されたとき、現在受信している前記放送電波を前記一の放送電波に復帰させる復帰手段と、を備える。
【００１３】
よって、初めに受信していた一の放送電波の内容が受信が所望される内容となったときに当該一の放送電波に復帰させるので、人為的に切り換えられた他の放送電波を受信し続けることにより本来受信すべき内容を有する一の放送電波の受信タイミングを失することを防ぐことができる。
【００１４】
上記の課題を解決するために、請求項５に記載の発明は、請求項４に記載の放送受信装置において、前記受信が所望されない放送内容は広告宣伝であるように構成される。
【００１５】
よって、広告宣伝としての放送内容が受信が所望される放送内容に変わったときに元の一の放送電波に復帰させるので、広告宣伝の放送が終了したときにそのタイミングを失することなく受信を所望する放送内容を有する一の放送電波を受信することができる。
【００１６】
【発明の実施の形態】
次に、本発明に好適な実施の形態について、図面に基づいて説明する。なお、以下に説明する実施の形態は、赤外線を用いた遠隔操作が可能なテレビジョン装置に対して本発明を適用した場合の実施の形態である。
【００１７】
（Ｉ）第１実施形態
初めに、本発明に係る第１実施形態について、図１及び図２を用いて説明する。なお、図１は第１実施形態に係るテレビジョン装置の概要構成を説明するブロック図であり、図２は当該テレビジョン装置におけるチャネル切換処理を示すフローチャートである。
【００１８】
図１に示すように、第１実施形態に係るテレビジョン装置ＴＶは、視聴者の手元に置かれるコントローラＲＣを含んでおり、当該テレビジョン装置ＴＶとコントローラＲＣとは赤外線ＩＲにより情報の授受が可能とされている。
【００１９】
そして、当該テレビジョン装置ＴＶは、外部のアンテナＡＮＴに接続されている受信部１と、チャネル選択部２と、復調部３と、ＣＲＴ（Ｃａｔｈｏｄｅ　Ｒａｙ　Ｔｕｂｅ）又は液晶表示装置等よりなる表示部４と、計時手段としてのタイマ５Ａを備える検出手段、切換手段及び復帰手段としての制御部５と、メモリ６と、赤外線受信部７と、スピーカ８と、により構成されている。
【００２０】
また、コントローラＲＣは、その外観上、切換操作手段としてのチャネル選択操作部１０と、音量選択部１１と、設定操作手段としての切換先設定操作部１２と、時間設定操作部１３と、により構成されている。
【００２１】
次に、動作を説明する。
【００２２】
先ず、図示しない送信局から送信されてくる放送電波は、アンテナＡＮＴにおいて受信され、アンテナ信号Ｓｉｎとして受信部１に出力される。
【００２３】
そして、受信部１は、当該アンテナ信号Ｓｉｎに対して増幅処理等の予め設定された受信処理を施し、受信信号Ｓｒｖを生成してチャネル選択部２へ出力する。
【００２４】
次に、チャネル選択部２は、制御部５との間で制御信号Ｓｃｃの授受を行いつつ、当該制御部５から指定される受信チャネルに対応する周波数を備える信号を受信信号Ｓｒｖから選択・抽出し、チャネル信号Ｓｃｈとして復調部３へ出力する。
【００２５】
これにより、復調部３は、制御部５との間で制御信号Ｓｃｄの授受を行いつつ、当該チャネル信号Ｓｃｈを復調し、画像を含む画像復調信号Ｓｖｄを生成して表示部４へ出力すると共に、音声を含む音声復調信号Ｓａｄを生成してスピーカ８へ出力する。
【００２６】
その後、表示部４は当該画像復調信号Ｓｖｄに基づいて選択されたチャネルの放送電波に含まれていた画像を表示し、更にスピーカ８は当該音声復調信号Ｓａｄに基づいて選択されたチャネルの放送電波に含まれていた音声を出力する。
【００２７】
これらの処理と並行して、制御部５は、赤外線受信部７から出力されてくる操作信号Ｓｒｍの内容に基づいて、上記制御信号Ｓｃｃ及びＳｃｄを夫々出力して上記各構成部材の動作を制御する。
【００２８】
このとき、当該制御処理に必要な情報は、メモリ信号Ｓｍとしてメモリ６に一時的に記憶され、更に必要に応じてメモリ信号Ｓｍとして読み出され必要な処理に供される。なお、制御部５内のタイマ５Ａは、後述する第１実施形態に係る計時処理に供される。
【００２９】
一方、コントローラＲＣにおけるチャネル選択操作部１０においては、テレビジョン装置ＴＶにおいて受信すべき放送電波に対応するチャネルを選択する操作が視聴者により実行され、当該選択されたチャネルを示す情報が赤外線ＩＲを介して赤外線受信部７へ出力される。これにより、赤外線受信部７からは、当該選択されたチャネルを示す上記操作信号Ｓｒｍが制御部５に出力される。
【００３０】
また、コントローラＲＣにおける音量選択部１１においては、スピーカ８から出力される音の音量を設定する操作が視聴者により実行され、当該設定された音量を示す情報が赤外線ＩＲを介して赤外線受信部７へ出力される。これにより、赤外線受信部７からは、当該設定された音量を示す上記操作信号Ｓｒｍが制御部５に出力される。
【００３１】
更に、コントローラＲＣにおける切換先設定操作部１２においては、後述する第１実施形態に係る切換先チャネルの設定操作が視聴者により実行され、当該設定された切換先チャネルを示す情報が赤外線ＩＲを介して赤外線受信部７へ出力される。これにより、赤外線受信部７からは、当該設定された切換先チャネルを示す上記操作信号Ｓｒｍが制御部５に出力される。
【００３２】
更にまた、コントローラＲＣにおける時間設定操作部１３においては、後述する第１実施形態に係る待ち時間の設定操作が視聴者により実行され、当該設定された待ち時間を示す情報が赤外線ＩＲを介して赤外線受信部７へ出力される。これにより、赤外線受信部７からは、当該設定された待ち時間を示す上記操作信号Ｓｒｍが制御部５に出力される。
【００３３】
これらの操作信号Ｓｒｍに基づき、制御部５は、当該操作信号Ｓｒｍに含まれる各情報に基づいて、受信チャネルの選択処理、音量の調整処理、切換先チャネルへの切換処理又は待ち時間の設定処理等を制御する。
【００３４】
次に、上述した構成を備える第１実施形態に係るテレビジョン装置ＴＶにおいて実行される、第１実施形態に係るチャネル切換処理について図２を用いて説明する。
【００３５】
図２に示すように、第１実施形態に係るチャネル切換処理においては、初めに、コントローラＲＣにおける切換先設定操作部１２を用いて、後述する待ち時間経過後に切り換えるべきチャネルを予め設定する操作が実行される（ステップＳ１）。このとき、切換先設定操作部１２においては、具体的な切換先として、当該待ち時間の計時開始直前まで視聴していたチャネルに復帰するように設定することもできるし、又は、視聴者が所望する任意のチャネルへ切り換えるように設定することも可能とされている。そして、切換先設定操作１２において設定された切換先チャネルを示す情報は、赤外線ＩＲを介して制御部５へ出力され、メモリ６内の不揮発性の領域に記憶される。
【００３６】
切換先チャネルの設定が完了すると、次に、コントローラＲＣにおける時間設定操作部１３を用いて、後述する待ち時間の長さを予め設定する操作が実行される（ステップＳ２）。このとき、具体的な待ち時間としては、例えば、一つのコマーシャルが完了する１５秒又は３０秒等の時間を待ち時間として設定することができる。そして、時間設定操作１３において設定された待ち時間の長さを示す情報は、上記切換先チャネルを示す情報と同様に赤外線ＩＲを介して制御部５へ出力され、メモリ６内の不揮発性の領域に記憶される。
【００３７】
待ち時間の長さが設定されると、次に、上記受信部１及び復調部２を用いて放送電波の受信が開始され、必要な画像及び音が出力される（ステップＳ３）。このとき、当該ステップＳ３においては、視聴者がその時点で視聴したい番組を放送内容として含むチャネルが選択されて視聴されることとなる。
【００３８】
次に、ステップＳ３の処理による放送番組の視聴が実行されている間においては、チャネル選択操作部１０において視聴者により他のチャネルの放送内容を視聴する旨の操作が為されか否かが常に監視されている（ステップＳ４）。
【００３９】
ここで、ステップＳ３の処理による放送番組の視聴中に視聴者がチャネル切換を実行する場合としては、例えば、ステップＳ３の処理において視聴されているチャネルにおける放送内容が、コマーシャル等の視聴が所望されない放送内容に切り換わったことで、当該視聴者により他のチャネルの放送内容を視聴する旨の操作が為される場合等が挙げられる。
【００４０】
そして、ステップＳ４における監視処理中にチャネルの切換操作が為されないときは（ステップＳ４；ＮＯ）そのままステップＳ３の処理において選択されているチャネルの放送番組の視聴が継続され、一方、チャネルの切換操作が為されたときは（ステップＳ４；ＹＥＳ）、次に、選択すべき放送電波に対応するチャネルをその切換操作により指定されたチャネルに切り換えると共に（ステップＳ５）、タイマ５Ａにおける計時処理を開始する（ステップＳ６）。
【００４１】
次に、計時処理開始後は、その計時結果が上記ステップＳ２において設定された待ち時間となったか否かを常に監視し（ステップＳ７）、計時結果が当該待ち時間に到達していないときは（ステップＳ７；ＮＯ）そのまま計時を継続し、一方、計時結果が当該待ち時間に到達したときは（ステップＳ７；ＹＥＳ）、次に、その待ち時間中に視聴されていたチャネルを、上記ステップＳ１において設定された切換先チャネルに再度切り換える処理を行う（ステップＳ８）。
【００４２】
この結果、当該待ち時間中に視聴されていたチャネルが、当該待ち時間の計時開始直前まで視聴されていた（ステップＳ３参照）チャネルに復帰するか、或いは、視聴者により予め設定されていた他のチャネルに切り換わることとなる。
【００４３】
そして、再度のチャネル切換後はテレビジョン装置ＴＶ自体の電源スイッチがオフとされたか否かを常に監視し（ステップＳ９）、当該電源スイッチがオフとされたときは（ステップＳ９）上述してきたチャネル切換処理を含む受信処理を終了する。
【００４４】
他方、当該電源スイッチがオフとされないときは（ステップＳ９；ＮＯ）、次に、上記切換先チャネルの設定値又は待ち時間の長さの設定値を変更するか否かを、必要に応じて表示部４にいわゆるＯＳＤ（Ｏｎ　Ｓｃｒｅｅｎ　Ｄｉｓｐｌａｙ）を表示する等の処理により確認し（ステップＳ１０）、各設定値の変更が無いときは（ステップＳ１０；ＮＯ）、そのまま上記ステップＳ３に戻って現在選択されているチャネル（すなわち、上記ステップＳ８の処理による再切換後のチャネル）に対応する放送電波の受信が継続される。
【００４５】
また、ステップＳ１０判定において設定を変更する旨の操作が為されたときは（ステップＳ１０；ＹＥＳ）、上記ステップＳ１に戻って新たな設定を行うための処理を開始する。
【００４６】
以上説明したように、第１実施形態に係るチャネル切換処理によれば、受信チャネルが人為的に切り換えられたタイミングから計時を開始し、その後計時の結果が待ち時間になったときに更にチャネルを切り換えるので、人為的に切り換えられたチャネルを視聴し続けることにより本来受信すべきチャネルの受信タイミングを失することを防ぐことができる。
【００４７】
また、計時されている時間が待ち時間になったとき、受信すべき放送電波に対応するチャネルを元のチャネルに復帰させる場合には、当該元のチャネルにおける本来受信すべきタイミングを失することを防止することができる。
【００４８】
更に、計時されている時間が待ち時間になったとき、受信すべき放送電波に対応するチャネルを予め設定されている他のチャネルに切り換える場合には、当該他のチャネルにおける本来受信すべきタイミングを失することを防止することができる。
【００４９】
（ＩＩ）第２実施形態
次に、本発明に係る他の実施形態である第２実施形態について、図３を用いて説明する。なお、図３は第２実施形態に係るチャネル切換処理を示すフローチャートであり、図２に示す第１実施形態におけるチャネル切換処理と同様の処理については同様のステップ番号を付して細部の説明は省略する。
【００５０】
上述した第１実施形態においては、予め設定した待ち時間経過後にチャネルを再度切り換える構成について説明したが、以下に説明する第２実施形態においては、視聴者による人為的な切り換えまでに視聴していたチャネル（図２ステップＳ３参照）における放送内容を監視し、その監視結果に基づいてチャネルの再切換を行う。
【００５１】
また、第２実施形態に係るテレビジョン装置及びコントローラの構成は、基本的には第１実施形態に係るテレビジョン装置ＴＶ及びコントローラＲＣの構成と同様であるので、細部の説明は省略する。
【００５２】
なお、第２実施形態に係るテレビジョン装置及びコントローラの構成における、第１実施形態に係るテレビジョン装置ＴＶ及びコントローラＲＣの構成との相違点は、第２実施形態に係るコントローラには第１実施形態に係る時間設定操作部１３が設けられていないこと、並びに第１実施形態に係るチャネル選択部２から出力されるチャネル信号Ｓｃｈが、第１実施形態に係る復調部３だけでなく第１実施形態に係る制御部５にも出力されていること、の二点である。
【００５３】
第２実施形態に係るチャネル切換処理においては、図３に示すように、初めに、第１実施形態と同様の切換先チャネルの設定処理を行い（ステップＳ１）、次に、上記受信部１及び復調部２を用いて放送電波の受信が開始され、必要な画像及び音が出力される（ステップＳ３）。
【００５４】
そして、ステップＳ３の処理による放送番組の視聴が実行されている間においては、チャネル選択操作部１０において視聴者により他のチャネルの放送内容を視聴する旨の操作が為されか否かが常に監視されている（ステップＳ４）。
【００５５】
ここで、ステップＳ３の処理による放送番組の視聴中に視聴者がチャネル切換を実行する場合としては、第２実施形態においても、ステップＳ３の処理において視聴されているチャネルにおける放送内容が、コマーシャル等の視聴が所望されない放送内容に切り換わった場合等が挙げられる。
【００５６】
そして、ステップＳ４における監視処理中にチャネルの切換操作が為されないときは（ステップＳ４；ＮＯ）そのままステップＳ３の処理において選択されているチャネルの放送番組の視聴が継続され、一方、チャネルの切換操作が為されたときは（ステップＳ４；ＹＥＳ）、選択すべき放送電波に対応するチャネルをその切換操作により指定されたチャネルに切り換える（ステップＳ５）
次に、切換後のチャネルにより視聴が継続されている間は、第２実施形態のテレビジョン装置における制御部に対して同じくチャネル選択部から入力されているチャネル信号Ｓｃｈを当該制御部において監視することにより、ステップＳ５における切換前のチャネルにおける放送内容の監視が継続され、その監視中の放送内容においてコマーシャルに相当する部分が終了したか否かが検出される（ステップＳ２０）。
【００５７】
このとき、当該コマーシャルに相当する部分が終了したか否かの検出は、例えば、その監視中のチャネルに対応する放送電波における音声の態様がステレオ方式又はモノラル方式のいずれか一方からステレオ方式又はモノラル方式のいずれか他方に変化したか否かを検出することにより当該コマーシャルに相当する部分が終了したか否かを検出する方法や、画像として放送内容がそれまでのものから極端に変化したか否かを検出することにより当該コマーシャルに相当する部分が終了したか否かを検出する方法等を用いることができる。
【００５８】
そして、当該コマーシャル部分が終了したことが検出されないときは（ステップＳ２０；ＮＯ）、上記ステップＳ５において切り換えられて視聴されていたチャネルの視聴を継続し、一方、当該コマーシャル部分が終了したことが検出されたときは（ステップＳ２０；ＹＥＳ）、当該ステップＳ５において切り換えられて視聴されていたチャネルを、上記ステップＳ１において設定された切換先チャネルに再度切り換える処理を行う（ステップＳ８）。
【００５９】
この結果、当該コマーシャルに相当する部分の放送電波の受信中に視聴されていたチャネルが、当該コマーシャルとなっていた放送内容のチャネル（ステップＳ３参照）に復帰するか、或いは、視聴者により予め設定されていた他のチャネルに切り換わることとなる。
【００６０】
そして、上記ステップＳ８の処理を行った後は、第１実施形態におけるステップＳ９及びＳ１０（図２参照）の処理と同様の処理を実行し、第２実施形態に係るチャネル切換処理を含む受信処理を終了する。
【００６１】
以上説明したように、第２実施形態に係るチャネル切換処理によれば、上記ステップＳ８の処理において元のチャネルに復帰する場合には、初めに受信していた一の放送電波に対応するチャネルの内容が、受信が所望される内容に復帰したときに当該一のチャネルに復帰させるので、人為的に切り換えられた他のチャネルに対応する放送電波を受信し続けることにより本来受信すべき内容を有する元のチャネルの受信タイミングを失することを防ぐことができる。
【００６２】
なお、上述してきた第１実施形態について、当該第１実施形態に係る計時処理及び切換先チャネル等の記憶処理を夫々コントローラ側において実行するように構成することもできる。この場合には、人為的なチャネルの切り換え（図２ステップＳ４参照）を検出した後にコントローラにおいて計時を開始し、その計時結果が待ち時間となったときに再度チャネルを切り換える（図２ステップＳ８参照）旨の情報を、赤外線ＩＲを介して制御部５に出力することとなる。
【００６３】
また、上述してきた各実施形態では、テレビジョン放送の放送電波を受信するテレビジョン装置に対して本発明を適用した場合について説明したが、これ以外に、例えばラジオ放送の放送電波を受信するチューナ装置に対して本発明を適用することも可能である。
【００６４】
【発明の効果】
以上説明したように、請求項１に記載の発明によれば、放送電波が切り換えられたタイミングから計時を開始し、その後計時の結果が設定時間になったときに更に放送電波を切り換えるので、人為的に切り換えられた他の放送電波を受信し続けることにより本来受信すべき放送電波の受信タイミングを失することを防ぐことができる。
【００６５】
従って、受信タイミングを失することで受信を所望していた放送内容が受信できなくなることを防止できる。
【００６６】
請求項２に記載の発明によれば、請求項１に記載の発明の効果に加えて、計時されている時間が設定時間になったとき、受信すべき放送電波を元の一の放送電波に復帰させるので、当該一の放送電波における本来受信すべきタイミングを失することを防止することができる。
【００６７】
請求項３に記載の発明によれば、請求項１に記載の発明の効果に加えて、計時されている時間が設定時間になったとき、受信すべき放送電波を予め設定されている設定放送電波に切り換えるので、当該設定放送電波における本来受信すべきタイミングを失することを防止することができる。
【００６８】
請求項４に記載の発明によれば、初めに受信していた一の放送電波の内容が受信が所望される内容となったときに当該一の放送電波に復帰させるので、人為的に切り換えられた他の放送電波を受信し続けることにより本来受信すべき内容を有する一の放送電波の受信タイミングを失することを防ぐことができる。
【００６９】
従って、元の一の放送電波における受信タイミングを失することで当該一の放送電波において受信を所望していた放送内容が受信できなくなることを防止できる。
【００７０】
請求項５に記載の発明によれば、請求項４に記載の発明の効果に加えて、広告宣伝としての放送内容が受信が所望される放送内容に変わったときに元の一の放送電波に復帰させるので、広告宣伝の放送が終了したときにそのタイミングを失することなく受信を所望する放送内容を有する一の放送電波を受信することができる。
【図面の簡単な説明】
【図１】第１実施形態に係るテレビジョン装置等の概要構成を示すブロック図である。
【図２】第１実施形態に係るチャネル切換処理を示すフローチャートである。
【図３】第２実施形態に係るチャネル切換処理を示すフローチャートである。
【符号の説明】
１…受信部
２…チャネル選択部
３…復調部
４…表示部
５…制御部
５Ａ…タイマ
６…メモリ
７…赤外線受信部
８…スピーカ
１０…チャネル選択部
１１…音量選択部
１２…切換先設定操作部
１３…時間設定操作部
ＴＶ…テレビジョン装置
ＲＣ…コントローラ
ＩＲ…赤外線
ＡＮＴ…アンテナ
Ｓｉｎ…アンテナ信号
Ｓｒｖ…受信信号
Ｓｃｃ、Ｓｃｄ…制御信号
Ｓｃｈ…チャネル信号
Ｓｖｄ…画像復調信号
Ｓａｄ…音声復調信号
Ｓｒｍ…操作信号
Ｓｍ…メモリ信号
【図１】
2004112099.tif 000003
【図２】
2004112099.tif 000004
【図３】
2004112099.tif 000005